(57)【要約】【課題】興味のある様々なオブジェクトを回転或いは転動させながら拡大、反射させた状態で目視して、オブジェクトの予想どおりの或いは予想外の変化を楽しみ、更には変化を予想することで大人はもとより子供の知育の育成や美的感覚の教育にも有効な変幻オブジェクト観賞装置を提供する。【解決手段】オブジェクト目視鏡１は、スコープホルダー２Ｄを有する支持台２と、スコープホルダー２Ｄに着脱可能に支持される拡大反射スコープ３とから構成してある。オブジェクト変転具４は、オブジェクト回転器６と、拡大反射スコープ３の先端から適宜の間隔の位置でオブジェクト回転器６に着脱可能に支持され、砕片、細片、粒体、流体等のオブジェクト８を転動可能に保持する容器状のオブジェクト保持体７とから構成してある。【選択図】図１
2011102895.tif 000002
【特許請求の範囲】
【請求項１】
オブジェクト目視鏡は、スコープ支持部を有する支持台と、該スコープ支持部に着脱可能に支持される拡大反射スコープとから構成し、オブジェクト変転具は、オブジェクト回転器と、前記拡大反射スコープの先端から適宜の間隔の位置で該オブジェクト回転器に着脱可能に支持され、砕片、細片、粒体、流体のいずれか１種以上からなるオブジェクトを保持するオブジェクト保持体とから構成してなる変幻オブジェクト観賞装置。
【請求項２】
前記拡大反射スコープは、筒体と、該筒体の先端側に設けた凸レンズからなる対物レンズと、前記筒体の後端側に設けた接眼穴と、前記筒体内に鏡面を内側にして所望の角度で筒状に配置した複数の鏡板とから構成してあることを特徴とする請求項１記載の変幻オブジェクト観賞装置。
【請求項３】
前記オブジェクト回転器は、角度調整台により前記オブジェクト目視鏡に対する前記オブジェクト保持体の角度を任意に設定可能にしてある請求項１記載の変幻オブジェクト観賞装置。
【請求項４】
前記オブジェクト回転器は、前記オブジェクト保持体を正逆方向に回転可能であることを特徴とする請求項１記載の変幻オブジェクト観賞装置。
【請求項５】
前記オブジェクト保持体は、内側面を多角面又はリブ突出面に形成した有底の容器状に形成し、内部に前記オブジェクトを収容するようにしてなる請求項１記載の変幻オブジェクト観賞装置。
【請求項６】
前記オブジェクト保持体は、透明な材料によって側面を形成し、上方が開放した有底の容器状に構成したものであることを特徴とする請求項１記載の変幻オブジェクト観賞装置。
【請求項７】
前記オブジェクト保持体は、立体に形成し、外面に前記オブジェクトを付着するようにしたものである請求項１記載の変幻オブジェクト観賞装置。
【請求項８】
前記オブジェクト保持体は、前記オブジェクト回転器に磁着、粘着、係着等の着脱自在な手段により取着してあることを特徴とする請求項１記載の変幻オブジェクト観賞装置。
【発明の詳細な説明】
【技術分野】
【０００１】
本発明は、回転或いは転動する様々なオブジェクト（対象物）を目視し、オブジェクトが変化する形状や過程を楽しみ、また変化を予想する等様々な使い方をすることができ、大人ばかりか子供の知育の育成や美的感覚の教育にも有効な変幻オブジェクト観賞装置に関する。
【背景技術】
【０００２】
目視により物の変化を楽しむ器具として、古くから万華鏡が知られている。万華鏡は一端側に曇りガラスを設けた鏡筒の中に、３枚の平面鏡を鏡面を内向きにして多くは二等辺三角形に設け、その中に色ガラス等の微小粒や微小片を入れ、鏡筒を回転させながら他端ののぞき穴から覗くことで色彩模様の無限の変化を楽しむものである。
【０００３】
万華鏡は構成も簡単で、完成した器具とも言えるものであることから、技術的な改良は殆ど提案されていないのが実状で、下記の特許文献１に示すものが知られる程度である。
【先行技術文献】
【特許文献】
【０００４】
【特許文献１】実開平７−３９０１４公報
【発明の概要】
【発明が解決しようとする課題】
【０００５】
上記従来技術を含めて万華鏡は、３枚の平面鏡で囲まれた三角形のスペースの中でしか色ガラス、色ビーズ等の微小粒や微小片は転動できないことから、模様が無限に変化するといっても次第に似た模様が出現することになるし、鏡筒内に入れる微小粒や微小片の数にも限界があるために模様の変化が単調になり、逆に多過ぎると転動性が悪くなって模様の変化が乏しいものなるといった問題がある。また、肉眼で見た静止状態の対象物が凸レンズを介して回転状態ではどのように見えるか、模様はどのように変化するかといった想像力を働かせる使用の方法については、万華鏡では不可能であるし、このような使い方や楽しみ方が可能な器具は提案されていない。
【０００６】
本発明は上述した従来技術の未解決の問題点に鑑みなされたもので、興味のある様々なオブジェクトを回転或いは転動させながら拡大、反射させた状態で目視することにより、オブジェクトの予想どおりの或いは予想外の変化を楽しみ、更には変化を予想することで大人はもとより子供の知育の育成や美的感覚の教育にも有効な変幻オブジェクト観賞装置を提供することを目的とする。
【課題を解決するための手段】
【０００７】
上述した課題を解決する本発明を構成する手段は、オブジェクト目視鏡は、スコープ支持部を有する支持台と、該スコープ支持部に着脱可能に支持される拡大反射スコープとから構成し、オブジェクト変転具は、オブジェクト回転器と、前記拡大反射スコープの先端から適宜の間隔の位置で該オブジェクト回転器に着脱可能に支持され、砕片、細片、粒体、流体のいずれか１種以上からなるオブジェクトを保持するオブジェクト保持体とから構成してある。
【０００８】
そして、前記拡大反射スコープは、筒体と、該筒体の先端側に設けた凸レンズからなる対物レンズと、前記筒体の後端側に設けた接眼穴と、前記筒体内に鏡面を内側にして所望の角度で筒状に配置した複数の鏡板とから構成してある。
【０００９】
また、前記オブジェクト回転器は、角度調整台により前記オブジェクト目視鏡に対する前記オブジェクト保持体の角度を任意に設定可能にするとよい。
【００１０】
更に、前記オブジェクト回転器は、前記オブジェクト保持体を正逆方向に回転可能にするとよい。
【００１１】
また、前記オブジェクト保持体は、内側面を多角面又はリブ突出面に形成した有底の容器状に形成し、内部に前記オブジェクトを収容するようにしてもよい。
【００１２】
また、前記オブジェクト保持体は、透明な材料によって側面を形成し、上方が開放した有底の収容状に構成したものにするとよい。
【００１３】
また、前記オブジェクト保持体は、立体に形成し、外面に前記オブジェクトを付着するようしたものでもよい。
【００１４】
また、前記オブジェクト保持体は、前記オブジェクト回転器に磁着、粘着、係着等の着脱自在な手段により取着するとよい。
【発明の効果】
【００１５】
本発明は上述の如く構成したから、下記の諸効果を奏する。
（１）オブジェクト回転器により回転し或いは転動する間に変化するオブジェクトを拡大反射スコープにより目視することで、オブジェクトの予想どおりの或いは予想外の変化を楽しみ、更には変化を予想することで大人はもとより子供の知育の育成や美的感覚の教育に資することができる。
（２）拡大反射スコープは、回転するオブジェクトを凸レンズからなる対物レンズで拡大して複数枚の各鏡面に映し出す構成にしたから、動いているオブジェクトを視野一杯に拡大し、かつ反射させた状態で明瞭に目視することができ、視る者に楽しさ、興味、不思議感などを与えることができる。
（３）オブジェクト回転器は、角度調整台によりオブジェクト目視鏡に対するオブジェクト保持体の角度を任意に設定可能に構成したから、オブジェクト保持体を様々な角度から楽しむことができる。
（４）オブジェクト回転器は、オブジェクト保持体を正逆方向に回転可能に構成することにより、オブジェクトの逆向きの動きとその変化を目視することができる。
（５）オブジェクト保持体は、内側面を多角面又はリブ付き面に形成した容器状に形成し、内部にオブジェクトを収容するようにしたから、オブジェクトが激しく転動して拡大反射スコープを介して変幻する様を目視することができる。
（６）オブジェクト保持体は、透明な材料によって側面を形成し、上方を開放した有底の収容状に形成したから、オブジェクトに流体を選択することができるし、収容するオブジェクトの転動状態を上方からだけでなく側方からも目視することができ、オブジェクトの変転する動態を異なる方向から楽しみ、また確認できる。
（７）オブジェクト保持体は立体に形成し、その外面に多数のオブジェクトを付着するようにしたから、容器状の保持体内で転動させるのとは異なったオブジェクトの変幻を目視することができる。
（８）オブジェクト保持体は、オブジェクト回転器に磁着、粘着、係着等の着脱自在な手段で取着する構成にしたから、種々のオブジェクト保持体を用意しておいて簡単に速やかに交換してオブジェクトを観賞することができる。
【図面の簡単な説明】
【００１６】
【図１】図１乃至図３は本発明の第１の実施の形態に係り、図１は変幻オブジェクト観賞装置の全体構成図である。
【図２】拡大反射スコープの縦断面図である。
【図３】図２中のＩＩＩ−ＩＩＩ矢示方向拡大断面図である。
【図４】他の実施の形態に係るオブジェクト保持体の一部を破断して示す斜視図である。
【図５】更に他の実施の形態に係るオブジェクト保持体の斜視図である。
【発明を実施するための形態】
【００１７】
以下、本発明の実施の形態を図に基づき詳述する。図１乃至図３は第１の実施の形態を示す。図において、１は変幻オブジェクト観賞装置を構成するオブジェクト目視鏡を示す。２は該オブジェクト目視鏡１を構成する木製の支持台で、該支持台２は略四角形の台座２Ａと、該台座２Ａ上に対向して突設した一対の支柱２Ｂ、２Ｂと、長孔からなる軸挿通孔（図示せず）を縦方向に有し、該支柱２Ｂ、２Ｂ間に矢示イ、ロ方向の上下方向に変位可能で、かつ矢示ハ、ニ方向の回動方向に変位可能に軸支された可動アーム２Ｃと、該可動アーム２Ｃの上端に設けられ、スコープ挿入穴が軸方向に形成してある円筒状のスコープホルダー２Ｄと、支柱２Ｂ、２Ｂから可動アーム２Ｃに挿通した角度調整軸２Ｅとから構成してある。そして、可動アーム２Ｃは角度調整軸２Ｅを回動操作して緩めることで、上下方向に変位すると共に回動し、締付けることで任意の高さと傾斜角度に設定することができるようになっている。
【００１８】
３は前記支持台２のスコープホルダー２Ｄに挿装することにより支持した拡大反射スコープを示す。該拡大反射スコープ３は、図２及び図３に示すように、金属製或いは合成樹脂製の円筒状の鏡筒３Ａと、該鏡筒３Ａの先端側に設けた略半球状の凸レンズからなる対物レンズ３Ｂと、鏡筒３Ａの後端側に設けた接眼穴３Ｃと、鏡筒３Ａの後端外周に鍔状に突設し、看者の目及びその周辺を保護するためのアイガード３Ｄと、鏡筒３Ａ内に鏡面３Ｅ１を内側にして三角形の筒状に配設した３枚の鏡板３Ｅ、３Ｅ、３Ｅとから構成してある。なお、例えば４枚の鏡板３Ｅ、３Ｅ、・・を用いて四角形に形成してもよいし、６枚の鏡板３Ｅを用いて六角形に形成してもよい。
【００１９】
かくして、オブジェクト目視鏡１は、支持台２と、該支持台２のスコープホルダー２Ｄに挿装した拡大反射スコープ３とから構成してあり、拡大反射スコープ３は可動アーム２Ｃに支持されて矢示イ、ロの上下方向に昇降変位し、かつ矢示ハ、ニの方向に回動可能になっている。なお、拡大反射スコープ３は、鏡筒スリーブ２Ｄに対して前後方向に進退可能に構成してもよい。
【００２０】
次に、４はオブジェクト変転具を示す。５は該オブジェクト変転具４を構成する角度調整台を示し、該角度調整台５は四角形の平板からなる基盤５Ａと、該基盤５Ａ上に突設した支持部５Ｂと、該支持部５Ｂに先端側を螺合した締着軸５Ｃと、挿通した該締着軸５Ｃにより支持部５Ｂに支持されて矢示ホ、ヘ方向に回動し、斜め上向きの傾斜角度を任意の角度に設定可能な可動調整盤５Ｄと、該可動調整盤５Ｄの上面に設けた固定用磁石５Ｅとから構成してある。
【００２１】
６は該角度調整台５に搭載したオブジェクト回転器で、該オブジェクト回転器６はゼンマイ式オルゴール機構を搭載し、下面に磁着用の薄い鉄板を固着した基台６Ａ（図示せず）と、該基台６Ａに回転可能に支持され、ゼンマイのバネ力により矢示ト方向に回転駆動されるケーシング６Ｂとから構成してあり、本実施の形態では既存のオルゴールをオブジェクト回転器６に使用している。
【００２２】
７は前記オブジェクト回転器６により回転駆動されるオブジェクト保持体を示す。該オブジェクト保持体７は合成樹脂材により、上方が開放した四角形の透明容器状に形成してあり、底板７Ａの下面は磁石板、粘着剤、係合面等適宜の固定手段によってオブジェクト回転器６に係脱可能になっている。８、８、・・・は該オブジェクト保持体７の４面の側板７Ｂ、７Ｂ・・により囲んで収容した多数のオブジェクトを示す。該各オブジェクト８にはオブジェクト保持体７内で転動し易い材料、例えば色ガラスや合成樹脂材料等からなる砕片、切断片や粒状体、ビーズ、油にアルミニュウム粉を混合した混合流体、その他目視するのに興味が持てる適宜の物を選択することができ、特に限定はない。
【００２３】
本実施の形態は上述の構成からなるが、次にその作用について説明する。先ず、オブジェクト保持体７に種々あるオブジェクト８の中から選択したオブジェクト８を適宜の数量入れる。また、オブジェクト回転器６のケーシング６Ｂを回してゼンマイを巻き上げた後、オブジェクト保持体７をケーシング６Ｂに係着させる。これによりオブジェクト保持体７はゼンマイの復帰力によって矢示ト方向に回転し、その中のオブジェクト８はオブジェクト保持体７内でランダムに変転する。このオブジェクト８の変転をオブジェクト目視鏡１の拡大反射スコープ３で目視すると、オブジェクト８が様々な模様に変化し、また消えたり現われたりするといった変幻する様を楽しむことができるし、変化を想像するといった楽しみができる。
【００２４】
支持台２は可動アーム２Ｃが矢示イ、ロ方向に上下動し、スコープ支持部２Ｄが矢示ハ、ニ方向に回動可能であるから、拡大反射スコープ３をオブジェクト保持体７に対して任意の角度で容易に対面させることができ、角度の違いによる見え方の違いを実感することができる。
【００２５】
また、上記作動中オルゴール機構が作動してオルゴールが鳴ることで、大人はもとより子供は音楽に合わせてオブジェクト８の変化を一層楽しむことができる。
【００２６】
また、オブジェクト保持体７は、側板７Ｂ、７Ｂ・・によって四面の容器状に形成したから、オブジェクト保持体７内のオブジェクト８は４箇所の角隅で激しく転動し、様々な態様に変化するので看者に更に強い印象を与えることができる。
【００２７】
なお、本実施の形態ではゼンマイによってオブジェクト回転器６は矢示ト方向の一定方向に回転するものとして説明したが、可逆モーターを用いてオブジェクト回転器６を正逆方向に回転可能に構成してもよい。このように構成することにより、正回転から逆回転に変わる際のオブジェクト８の動きの変化を目視することができる。また、可変モーターを使用して、オブジェクト回転器６の回転速度を変化させることにより、オブジェクト８の様々な変化を観賞し、楽しむことができる。
【００２８】
図４はオブジェクト保持体１１の他の実施の形態を示し、該オブジェクト保持体１１は、上方が開放した有底の円筒体１２を透明の合成樹脂材で成形し、該円筒体１２の内周面１２Ａに１以上のリブ１３、１３を突設したものからなる。このようにオブジェクト保持体１１の内周面１２Ａにリブ１３を設けることにより、各リブ１３はオブジェクト保持体１１の回転に伴ってオブジェクト８を撹拌し、オブジェクト８はより激しく転動して様々な態様に変化することができる。そして、オブジェクト保持体１１は透明の合成樹脂材で成形することにより、オブジェクト８の全体的な変化も目視することができる。
【００２９】
更に、図５はオブジェクト保持体２１の他の実施の形態を示す。該オブジェクト保持体２１は厚紙、合成樹脂板等で四角錐の立体に形成し、その４面の外面２１Ａ、２１Ａ、・・にオブジェクト８、８、・・・を点在させて貼着その他の適宜の付着手段で設けてある。この場合オブジェクト保持体２１の外面２１Ａに着色し或いは絵柄を表した構成にしてもよい。こうすることにより、オブジェクト８の下地である外面２１Ａも回転して変化するからオブジェクト８の変化をより際立たせる効果がある。
【００３０】
なお、オブジェクト保持体２１は上記四角錐に限られず、六角錐でも円錐でもよいし、例えば菓子のプリンの容器や納豆の容器等身近にある立体のものを用いることにより、意外性を発見するなど子供の学習にも有効である。
【００３１】
更に、本実施の形態では角度調整台５とオブジェクト回転器６は磁力により固定する構成にしたが、角度調節台５に支持ピンを突設してもよいし、角度調節台５とオブジェクト回転器６を雌雄嵌合や凹凸嵌合により固定させてもよい。
【符号の説明】
【００３２】
１        オブジェクト目視具
２        支持台
２Ｄ      スコープホルダー（スコープ支持部）
３        拡大反射スコープ
３Ａ      鏡筒
３Ｂ      対物レンズ
３Ｃ      接眼穴
３Ｅ      鏡板
４        オブジェクト変転具
４Ｅ      固定用磁石
６        オブジェクト回転器
７        オブジェクト保持体
８        オブジェクト
【図１】
2011102895.tif 000003
【図２】
2011102895.tif 000004
【図３】
2011102895.tif 000005
【図４】
2011102895.tif 000006
【図５】
2011102895.tif 000007